(57)【特許請求の範囲】
【請求項１】
底部に排水孔が形成された合成樹脂製の洗面ボウルと、この洗面ボウルの排水孔に連通する合成樹脂製の排水筒を備え、前記洗面ボウルに前記排水孔の周囲から下方に突出してこの突出部の外周面に雄ねじ部が形成された雄ねじ筒がインサート成形により設けられ、前記排水筒は、縦筒部と、この縦筒部の上端よりも下方位置の外周に亙って形成されたフランジ部と、このフランジ部の外周縁から上方に突出してその内周面に雌ねじ部が形成された雌ねじ筒部とを有し、前記排水筒の雌ねじ部が前記雄ねじ筒の雄ねじ部に螺合され、前記排水筒の縦筒部の上端部が前記雄ねじ筒内に嵌め込まれると共に前記洗面ボウルの排水孔の周縁部の下方に配置されたことを特徴とする排水構造。
【請求項２】
前記雄ねじ筒とこの下方に配置されるフランジ部の間にパッキンが挟みこまれたことを特徴とする請求項１に記載の排水構造。
【請求項３】
前記縦筒部の上端面が前記洗面ボウルの排水孔の周縁部下面に接し、前記排水孔の内周面と前記縦筒部の内周面が面一とされたことを特徴とする請求項１又は請求項２に記載の排水構造。
【発明の詳細な説明】
【技術分野】
【０００１】
本発明は洗面ボウルの排水構造に関する。
【背景技術】
【０００２】
従来の洗面ボウルの排水構造としては、特許文献１（第２図）に示されるものがある。この排水構造では、洗面ボウルの底部に形成された排水孔に排水筒を連通接続するにあたって、排水筒の上端部に形成された鍔部を排水孔の周縁部上面に引っ掛けている。このため、排水筒の鍔部の外周縁と洗面ボウルの底部との間に溜まったゴミが洗面ボウルの内面側に露出し、見栄えが良くない。
【０００３】
また、特許文献１の第１図には他の排水構造が開示されている。この排水構造では、排水孔の内周面下部に上方部よりも大径の孔部が形成され、洗面ボウルの底部に設けられたインサートナットの雌ねじ部で前記孔部の内周面の一部が構成されている。そして、排水筒の上端部に形成された雄ねじ部が前記インサートナットの雌ねじ部に螺合されている。この排水構造では、排水筒の上端部の上方に洗面ボウルにおける前記孔部の上方部が配置されるので、排水筒の上端面と前記孔部の上底面との間に溜まったゴミが洗面ボウルの内面側から見え難く、見栄えが良い。また、排水筒をインサートナットにねじ込むだけで洗面ボウルに容易に接続することができるという利点もある。
【０００４】
しかし、一般的には、洗面ボウルには合成樹脂製や陶器製のものが用いられ、排水筒には金属製のものが用いられる。このため、特許文献１の第１図や第２図に示される排水構造では洗面ボウルと排水筒の質感が異なり、外観が優れない。また、特許文献１の第１図に示される排水構造では、インサートナットと排水筒の間から水が漏れ出し、この水が周囲に滴下する恐れもある。
【先行技術文献】
【特許文献】
【０００５】
【特許文献１】特開２０００−３３６７２３号公報
【発明の概要】
【発明が解決しようとする課題】
【０００６】
本発明は前記事情に鑑みてなされたものであって、外観に優れ且つ排水筒を容易に接続することができ、しかも洗面ボウルと排水筒の間から水が漏れ出して周囲に滴下することを防止できる排水構造を提供することを課題とする。
【課題を解決するための手段】
【０００７】
前記課題を解決するために本発明の排水構造は、底部に排水孔が形成された合成樹脂製の洗面ボウルと、この洗面ボウルの排水孔に連通する合成樹脂製の排水筒を備え、前記洗面ボウルに前記排水孔の周囲から下方に突出してこの突出部の外周面に雄ねじ部が形成された雄ねじ筒がインサート成形により設けられ、前記排水筒は、縦筒部と、この縦筒部の上端よりも下方位置の外周に亙って形成されたフランジ部と、このフランジ部の外周縁から上方に突出してその内周面に雌ねじ部が形成された雌ねじ筒部とを有し、前記排水筒の雌ねじ部が前記雄ねじ筒の雄ねじ部に螺合され、前記排水筒の縦筒部の上端部が前記雄ねじ筒内に嵌め込まれると共に前記洗面ボウルの排水孔の周縁部の下方に配置されたことを特徴とする。
【０００８】
また、前記雄ねじ筒とこの下方に配置されるフランジ部の間にパッキンが挟みこまれることが好ましい。
【０００９】
また、前記縦筒部の上端面が前記洗面ボウルの排水孔の周縁部下面に接し、前記排水孔の内周面と前記縦筒部の内周面が面一とされることが好ましい。
【発明の効果】
【００１０】
本発明にあっては、外観に優れ且つ排水筒を容易に接続することができ、しかも洗面ボウルと排水筒の間から水が漏れ出して周囲に滴下することを防止できる。
【図面の簡単な説明】
【００１１】
【図１】本発明の実施形態の排水構造を示す断面図である。
【図２】洗面ボウルの金型装置の要部を示す断面図である。
【発明を実施するための形態】
【００１２】
以下、本発明を添付図面に基づいて説明する。図１は本実施形態の洗面ボウル１の排水構造を示す断面図である。
【００１３】
洗面ボウル１は注型成形品からなり、合成樹脂製である。洗面ボウル１の底部には下方に突出する円筒状の排水口部２が一体に形成され、この排水口部２の内側が洗面ボウル１内の水を排出するための排水孔３となっている。すなわち、本実施形態では洗面ボウル１の底部から突出した排水口部２によって排水孔３の周縁部が構成されている。
【００１４】
排水口部２は下方程漸次径が小さくなるベルマウス形状に形成され、排水口部２の内周面は滑らかに連続した湾曲面となっている。
【００１５】
洗面ボウル１の排水口部２には上下に開口する円筒状の雄ねじ筒４がインサート成形により洗面ボウル１と一体的に設けられている。
【００１６】
雄ねじ筒４は洗面ボウル１や後述の排水筒１０よりも高強度の材料（例えばステンレス等の金属）からなる。雄ねじ筒４の上端部は排水口部２に埋め込まれる埋込部５を構成する。埋込部５は外周面及び内周面に凹所６が形成されて、排水口部２から下方に抜け難い断面Ｔ字状に形成されている。
【００１７】
雄ねじ筒４の埋込部５よりも下方に位置する部分は排水口部２の下縁部から下方に突出する突出部８となり、突出部８の外周面には雄ねじ部９が形成されている。
【００１８】
図２は洗面ボウル１を成形する金型装置１１の要部断面図である。金型装置１１は、上型１２と上型１２に対して上下動可能な下型１３を備えている。
【００１９】
上型１２の下面及び下型１３の上面において排水口部２に対応する箇所には突状部１４及び凹部１５が夫々形成されている。
【００２０】
凹部１５は平面視円形に形成されている。凹部１５の底部中央には上方に突出する円柱状の軸部１６が形成され、軸部１６の周囲には平面視円環状の嵌込溝部１７が形成されている。嵌込溝部１７の底部外周端部には上方に突出する突起１９が周方向に複数形成されている。
【００２１】
嵌込溝部１７には上端が軸部１６の上端と同レベルに位置するよう円筒状の入れ子１８が上方から嵌め込まれている。入れ子１８の下面外周端部には溝２０が周方向に複数形成され、各溝２０に下型１３の対応する突起１９を嵌め込むことにより、入れ子１８の下型１３に対する回動が規制されている。
【００２２】
円筒状の入れ子１８の内側に形成された孔部２１の上端部は下方部よりも孔径が大きい大径孔部２３となり、大径孔部２３の内周面には雌ねじ２２が形成されている。大径孔部２３には雄ねじ筒４が雄ねじ部９を雌ねじ２２に螺合した状態で収納されている。この雄ねじ筒４の内周面は入れ子１８の大径孔部２３よりも下方の孔部２１の内周面と面一となっている。また、雄ねじ筒４は埋込部５のみが入れ子１８の上端面よりも上方に突出している。
【００２３】
上型１２及び下型１３を型締めした状態では、図２のように下型１３の軸部１６の上端面中央に突状部１４の下端面が当てられる。この型締め状態では、上型の突状部１４、上型１２の凹部１５、入れ子１８、及び雄ねじ筒４で排水口部２用のキャビティ部２４が形成され、このキャビティ部２４に雄ねじ筒４の埋込部５が突出する。そして、この型締め状態において、上型１２及び下型１３によって形成される、前記キャビティ部２４を含むキャビティに成形材料が注入されることで、排水口部２に雄ねじ筒４の埋込部５をインサートした洗面ボウル１が成形される。
【００２４】
成形後は上型１２及び下型１３の型開きがなされて、雄ねじ筒４が一体的に設けられた洗面ボウル１が入れ子１８と共に取り出される。そして、入れ子１８を雄ねじ筒４に対して回転して雌ねじ２２を雄ねじ部９に対して緩めることで、入れ子１８が雄ねじ筒４から取り外される。
【００２５】
このように洗面ボウル１にインサート成形された雄ねじ筒４には、図１に示されるように排水孔３に供給された水を排出するための排水筒１０が接続される。
【００２６】
排水筒１０は図示しない排水弁やヘアキャッチャーが設けられて排水栓として利用される。排水筒１０は合成樹脂製であって、排水孔３に連通する円筒状の縦筒部２５を有している。縦筒部２５の内径は排水孔３の下端開口径と同一である。また、排水筒１０は、縦筒部２５の上端よりも下方位置の外周に亙って形成されたフランジ部２６と、フランジ部２６の外周縁部から上方に突出してその内周面に雌ねじ部２７が形成された円筒状の雌ねじ筒部２８とを有している。なお、縦筒部２５は同心の雌ねじ筒部２８よりも上方に突出している。
【００２７】
排水筒１０を洗面ボウル１に設けられた雄ねじ筒４に接続するには、排水筒１０の雌ねじ部２７を雄ねじ筒４の雄ねじ部９に螺合すると共に、縦筒部２５のフランジ部２６よりも上方に突出した上端部を雄ねじ筒４内に嵌め込んで排水口部２の下方に配置する。こここで、排水筒１０の雌ねじ部２７には、縦筒部２５の上端面が排水口部２の周縁部下面に当接するまで雄ねじ部９がねじ込まれる。
【００２８】
このように排水筒１０が雄ねじ筒４に接続されると、縦筒部２５の内周面が排水口部２の内周面と面一に連続して、縦筒部２５が排水孔３に連通する。また、排水筒１０のフランジ部２６の上面と雄ねじ筒４の下端面との間、及び縦筒部２５の上端部外周面と雄ねじ筒４の内周面の間には、パッキン２９，３０の夫々が挟み込まれてシールされる。なお、パッキン２９，３０は、排水筒１０を雄ねじ筒４に接続する際、排水筒１０及び雄ねじ筒４のいずれに取り付けられていてもよいものとする。
【００２９】
上記排水筒１０の下流側には図示しない排水管が接続され、しかして洗面ボウル１から排水孔３を介して縦筒部２５に流入した水を前記排水管を介して外部に排出することが可能になる。
【００３０】
以上説明した本実施形態の排水構造では、排水筒１０の雌ねじ部２７を雄ねじ筒４の雄ねじ部９に螺合するだけで、排水筒１０を洗面ボウル１の排水孔３に連通接続させることができる。また、排水筒１０の縦筒部２５の上端部が洗面ボウル１の排水孔３の周縁部の下方に配置されるので、縦筒部２５と洗面ボウル１の排水孔３の周縁部との間にゴミ等が溜まったとしても目立ち難く、見栄えが良い。
【００３１】
また、洗面ボウル１と排水筒１０が共に合成樹脂製であるため、排水孔３の内周面部と洗面ボウル１の排水孔３周縁部の下方に配置される縦筒部２５とが同様の質感となって外観が向上する。また、仮に排水筒１０の縦筒部２５の上端面と排水孔３周縁部の間から水が漏れ出したとしても、これをフランジ部２６で受けて周囲に滴下することを防止できる。
【００３２】
また、本実施形態の排水構造では、雄ねじ筒４とこの下方に配置されるフランジ部２６の間にパッキン３０が挟み込まれる。このため仮に排水筒１０の縦筒部２５の上端面と排水孔３周縁部の間から漏れだした水がフランジ部２６側に流れ込んだとしても、この水が外部に漏れ出すことをパッキン３０により防止することができる。
【００３３】
また、本実施形態の排水構造では、縦筒部２５の上端面が洗面ボウル１の排水孔３の周縁部下面に接し、排水孔３の内周面と縦筒部２５の内周面が面一とされる。このため排水孔３の内周面部と縦筒部２５の内周面とを連続的な面にして、より一層優れた外観となる。
【００３４】
なお、本実施形態では、排水孔３の内周面と縦筒部２５の内周面を面一にしたが、これに限定されるものではなく、縦筒部２５の内径を排水孔３の下端開口径よりも大きくして、縦筒部２５を排水孔３よりも外側に配置しても構わない。また、洗面ボウル１の底部から突出した排水口部２の内側を排水孔３としたが、洗面ボウル１の平坦な底部に排水孔３を形成してもよいものとする。
【符号の説明】
【００３５】
１  洗面ボウル
３  排水孔
４  雄ねじ筒
８  突出部
９  雄ねじ部
１０  排水筒
２５  縦筒部
２６  フランジ部
２７  雌ねじ部
２８  雌ねじ筒部
【図１】
0005453212.tif 000002
【図２】
0005453212.tif 000003